(57)【要約】  本発明の実施形態に係る緊急電話機への電源供給用のバッテリーモジュールは、負極端子及び正極端子がそれぞれ配備されている第１の円筒電池セル及び第２の円筒電池セルと、前記第１の円筒電池セルと前記第２の円筒電池セルとを直列連結するメタルプレートと、前記第１の円筒電池セル及び第２の円筒電池セルが実装される収縮チューブと、前記第１の円筒電池セル及び第２の円筒電池セルのそれぞれに配備されるＰＴＣ素子と、前記ＰＴＣ素子と前記収縮チューブとの間に介装される第１の絶縁部材と、前記ＰＴＣ素子と、第１の円筒電池セル及び第２の円筒電池セルとの間にそれぞれ介装される第２の絶縁部材と、前記収縮チューブの上面及び下面のそれぞれを密封する絶縁シートと、前記収縮チューブの外部に突き出ており、第１の円筒電池セル及び第２の円筒電池セルと外部電子装置とを連結する連結部と、を備えてなってもよい。
2020529113.tif 000002
【特許請求の範囲】
【請求項１】
負極端子及び正極端子がそれぞれ配備されている第１の円筒電池セル及び第２の円筒電池セルと、
前記第１の円筒電池セルと前記第２の円筒電池セルとを直列連結するメタルプレートと、
前記第１の円筒電池セル及び前記第２の円筒電池セルが実装される収縮チューブと、
前記第１の円筒電池セル及び前記第２の円筒電池セルのそれぞれに配備されるＰＴＣ素子と、
前記ＰＴＣ素子と前記収縮チューブとの間に介装される第１の絶縁部材と、
前記ＰＴＣ素子と、前記第１の円筒電池セル及び前記第２の円筒電池セルとの間にそれぞれ介装される第２の絶縁部材と、
前記収縮チューブの上面及び下面のそれぞれを密封する絶縁シートと、
前記収縮チューブの外部に突き出ており、前記第１の円筒電池セル及び前記第２の円筒電池セルと外部電子装置とを連結する連結部と、
を備えてなることを特徴とするバッテリーモジュール。
【請求項２】
前記収縮チューブは、上面と下面のそれぞれに前記第１の円筒電池セル及び前記第２の円筒電池セルが嵌入可能な開口部が形成されており、
前記第１の円筒電池セル及び前記第２の円筒電池セルは、
前記収縮チューブに互いに密着または隣接して並ぶように配置されるが、
前記第１の円筒電池セルの正極端子及び負極端子と、前記第２の円筒電池セルの正極及び負極端子とが互いに異なる方向を向くように配置されることを特徴とする請求項１に記載のバッテリーモジュール。
【請求項３】
前記第１の円筒電池セル及び前記第２の円筒電池セルのそれぞれに配備されるＰＴＣ素子は、
一方の端が前記第１の円筒電池セル及び前記第２の円筒電池セルの正極端子または負極端子に連結され、他方の端が前記第１の円筒電池セル及び前記第２の円筒電池セルの側面に連結されるように「┐」字状の折曲げ構造を有することを特徴とする請求項１又は２に記載のバッテリーモジュール。
【請求項４】
前記第２の絶縁部材は、
前記ＰＴＣ素子の「┐」字状の折曲げ構造と同じ折曲げ構造を有し、前記第１の円筒電池セル及び前記第２の円筒電池セルの少なくとも一部に形成されて前記ＰＴＣ素子と前記第１の円筒電池セル及び前記第２の円筒電池セルとを絶縁することを特徴とする請求項３に記載のバッテリーモジュール。
【請求項５】
前記第１の絶縁部材は、
前記ＰＴＣ素子の上部及び前記第１の円筒電池セル及び前記第２の円筒電池セルの少なくとも一部に配備され、
前記第１の円筒電池セル及び前記第２の円筒電池セルと密着される曲面構造を有し、前記収縮チューブと前記ＰＴＣ素子とを絶縁することを特徴とする請求項１から４のいずれか一項に記載のバッテリーモジュール。
【請求項６】
前記絶縁シートは、
前記収縮チューブの上面と下面のそれぞれに形成されている開口部の形状と同じ形状を有し、前記第１の円筒電池セル及び前記第２の円筒電池セルを絶縁することを特徴とする請求項２に記載のバッテリーモジュール。
【請求項７】
前記連結部は、
前記第１の円筒電池セルの上部に配備されるＰＴＣ素子の一方の端に連結される第１のワイヤーと、
前記第２の円筒電池セルの上部に配備されるＰＴＣ素子の一方の端に連結される第２のワイヤーと、
前記メタルプレートに連結される第３のワイヤーと、
を備えてなり、
前記第１のワイヤー、前記第２のワイヤー、及び前記第３のワイヤーが一つのコネクターを介して外部電子装置と連結されることを特徴とする請求項１から６のいずれか一項に記載のバッテリーモジュール。
【請求項８】
前記連結部は、
前記第１のワイヤー、前記第２のワイヤー、及び前記第３のワイヤーの一部を包み込むクッションテープと、
素子の昇温に伴って電子の流れ量が異なるサーミスター素子と、
をさらに備えてなり、
前記サーミスター素子は、絶縁テープにより前記収縮チューブと絶縁されることを特徴とする請求項７に記載のバッテリーモジュール。
【請求項９】
前記メタルプレートは、
前記第１の円筒電池セルの正極端子または負極端子に連結される第１の接触端と、
前記第２の円筒電池セルの負極端子または正極端子に連結される第２の接触端と、
前記第３のワイヤーに連結されるワイヤー連結端と、
を備えてなり、
前記第１の接触端及び前記第２の接触端は、
前記第１の円筒電池セルの正極端子または負極端子と平行な平面の上に形成されており、
前記ワイヤー連結端は、
前記第１の接触端及び前記第２の接触端が形成された平面に垂直な方向に形成されていることを特徴とする請求項７又は８に記載のバッテリーモジュール。
【請求項１０】
前記ＰＴＣ素子が「┐」字状に折り曲げられる領域の少なくとも一部には、
前記ＰＴＣ素子の折曲面に沿って形成される第３の絶縁部材がさらに配備されることを特徴とする請求項３に記載のバッテリーモジュール。
【発明の詳細な説明】
【技術分野】
【０００１】
本発明は、緊急電話機に電源を供給するバッテリーモジュールに関する。
【０００２】
より具体的には、従来のバッテリーモジュールに比べて出力が上昇され、使用時間が増えた緊急電話機への電源供給用のバッテリーモジュールに関する。
【背景技術】
【０００３】
自動車の事故の発生時点で自動的に緊急電話をかけて事故の届け出及び救助の要請を行う技術が開発されている。
【０００４】
このような緊急電話機は、車両が事故にあったときに車両に搭載されて様々な電装装置に電源を供給するバッテリーに問題が生じて電源の供給が円滑に行われないという状況に備えて、別途の非常用のバッテリーを用いていた。
【０００５】
一方、従来の非常用のバッテリーは、一つの円筒状のセルから構成されて、一般に、４Ｗ以上の出力を出し難く、緊急通話が行える時間にも制約があった。
【０００６】
したがって、本発明においては、従来のバッテリーの出力が足りず、使用時間が短いという問題を解決するためのバッテリーモジュールを提供する。
【発明の概要】
【発明が解決しようとする課題】
【０００７】
本発明は、出力及び使用時間が増えた緊急電話機への電源供給用のバッテリーモジュールを提供する。
【課題を解決するための手段】
【０００８】
本発明の実施形態に係るバッテリーモジュールは、負極端子及び正極端子がそれぞれ配備されている第１の円筒電池セル及び第２の円筒電池セルと、前記第１の円筒電池セルと前記第２の円筒電池セルとを直列連結するメタルプレートと、前記第１の円筒電池セル及び第２の円筒電池セルが実装される収縮チューブと、前記第１の円筒電池セル及び第２の円筒電池セルのそれぞれに配備されるＰＴＣ（正の温度係数）素子と、前記ＰＴＣ素子と前記収縮チューブとの間に介装される第１の絶縁部材と、前記ＰＴＣ素子と、第１の円筒電池セル及び第２の円筒電池セルとの間にそれぞれ介装される第２の絶縁部材と、前記収縮チューブの上面及び下面のそれぞれを密封する絶縁シートと、前記収縮チューブの外部に突き出ており、第１の円筒電池セル及び第２の円筒電池セルと外部電子装置とを連結する連結部と、を備えてなってもよい。
【０００９】
より具体的には、前記収縮チューブは、上面と下面のそれぞれに第１の円筒電池セル及び第２の円筒電池セルが嵌入可能な開口部が形成されており、前記第１の円筒電池セル及び前記第２の円筒電池セルは、前記収縮チューブに互いに密着または隣接して並ぶように配置されるが、前記第１の円筒電池セルの正極端子及び負極端子と、前記第２の円筒電池セルの正極及び負極端子とが互いに異なる方向を向くように配置されてもよい。
【００１０】
一方、前記第１の円筒電池セル及び前記第２の円筒電池のセルのそれぞれに配備されるＰＴＣ素子は、一方の端が前記第１の円筒電池セル及び第２の円筒電池セルの正極端子または負極端子に連結され、他方の端が前記第１の円筒電池セル及び第２の円筒電池セルの側面に連結されるように「┐」字状の折曲げ構造を有してもよい。
【００１１】
一方、前記第２の絶縁部材は、前記ＰＴＣ素子の「┐」字状の折曲げ構造と同じ折曲げ構造を有し、前記第１の円筒電池セル及び前記第２の円筒電池セルの少なくとも一部に形成されてＰＴＣ素子と前記第１の円筒電池セル及び前記第２の円筒電池セルとを絶縁してもよい。
【００１２】
一方、前記第１の絶縁部材は、前記ＰＴＣ素子の上部及び前記第１の円筒電池セル及び前記第２の円筒電池セルの少なくとも一部に配備され、前記第１の円筒電池セル及び前記第２の円筒電池セルと密着される曲面構造を有し、前記収縮チューブとＰＴＣ素子とを絶縁してもよい。
【００１３】
一方、前記絶縁シートは、前記収縮チューブの上面と下面のそれぞれに形成されている開口部の形状と同じ形状を有し、前記収縮チューブの外部に突き出た連結部を除く残りの部分において前記第１の円筒電池セル及び前記第２の円筒電池セルの上下部を絶縁してもよい。
【００１４】
一方、前記連結部は、前記第１のＰＴＣ素子の一方の端に連結される第１のワイヤーと、前記第２のＰＴＣ素子の一方の端に連結される第２のワイヤーと、前記メタルプレートに連結される第３のワイヤーと、を備えてなり、前記第１のワイヤー、前記第２のワイヤー、及び前記第３のワイヤーが一つのコネクターを介して外部電子装置と連結されてもよい。
【００１５】
一方、前記連結部は、前記連結部は、前記第１のワイヤー、前記第２のワイヤー、及び前記第３のワイヤーの一部を包み込むクッションテープと、素子の昇温に伴って電子の流れ量が異なるサーミスターと、をさらに備えてなり、前記サーミスターは、絶縁テープにより前記収縮チューブと絶縁されてもよい。
【００１６】
一方、前記メタルプレートは、前記第１の円筒電池セルの正極端子または負極端子に連結される第１の接触端と、前記第２の円筒電池セルの負極端子または正極端子に連結される第２の接触端と、前記第３のワイヤーに連結されるワイヤー連結端と、を備えてなり、前記第１の接触端及び前記第２の接触端は、前記第１の円筒電池セルの正極端子または負極端子と平行な平面の上に形成されており、前記ワイヤー連結端は、前記第１の接触端及び前記第２の接触端が形成された平面に垂直な方向に形成されていてもよい。
【００１７】
一方、前記ＰＴＣ素子が「┐」字状に折り曲げられる領域の少なくとも一部には、前記ＰＴＣ素子の折曲面に沿って形成される第３の絶縁部材がさらに配備されてもよい。
【発明の効果】
【００１８】
本発明は、出力が増えた緊急電話機への電源供給用のバッテリーモジュールを用いることにより、緊急電話機に高い出力を供給することができる。
【００１９】
また、本発明は、使用時間が増えた緊急電話機への電源供給用のバッテリーモジュールを用いることにより、緊急電話機をより長時間にわたって使用することができる。
【図面の簡単な説明】
【００２０】
【図１】本発明の実施形態に係るバッテリーモジュールの完製品の形状である。
【図２】本発明の実施形態に係るバッテリーモジュールを分解して示す図である。
【図３】本発明の実施形態に係るバッテリーモジュールのＰＴＣ素子の具体的な形状を示す図である。
【図４】本発明の実施形態に係るバッテリーモジュールのメタルプレートの具体的な形状を示す図である。
【図５】本発明の実施形態に係るバッテリーモジュールの第１の絶縁部材及び第２の絶縁部材の形状を具体的に示す図である。
【発明を実施するための形態】
【００２１】
以下、添付図面に基づいて、本発明が属する技術分野において通常の知識を有する者が容易に実施できるように本発明の実施形態について詳しく説明する。しかしながら、本発明は以下に開示される実施形態に何ら限定されるものではなく、異なる様々な形態に具体化される。なお、図中、本発明を明確に説明するために、説明とは無関係な部分は省略し、明細書の全般に亘って、類似の部分には類似の図面符号を付している。
【００２２】
「第１の」、「第２の」など序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しないつつも、第１の構成要素は第２の構成要素と命名されてもよく、同様に、第２の構成要素もまた第１の構成要素と命名されてもよい。本出願において用いた用語は、単に特定の実施形態を説明するために用いられたものであり、本発明を限定しようとする意図はない。単数の表現は、文脈からみて明らかに他の意味を有さない限り、複数の言い回しを含む。
【００２３】
明細書の全般に亘って、ある部分が他の部分と「連結」されているとしたとき、これは、「直接的に連結」されている場合のみならず、これらの間に他の素子を挟んで「電気的に連結」されている場合も含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００２４】
本発明において用いられる用語としては、本発明における機能を考慮したうえで、できる限り現在汎用されている通常の用語を選択したが、これは、当分野に携わっている技術者の意図又は判例、新たな技術の出現などに応じて異なる。なお、特定の場合、出願人が任意に選定した用語もあり、この場合、対応する発明の説明の部分において詳しくその意味を記載する。したがって、本発明において用いられる用語は、単なる用語の名称ではなく、その用語が有する意味と本発明の全般に亘たっての内容に基づいて定義されるべきである。
【００２５】
１．本発明の実施形態に係る緊急電話機への電源供給用のバッテリーモジュール
【００２６】
図１は、本発明の実施形態に係る緊急電話機への電源供給用のバッテリーモジュールの完製品の形状を示す図であり、図２は、本発明の実施形態に係る緊急電話機への電源供給用のバッテリーモジュールを分解して示す分解図である。
【００２７】
以下では、図１及び図２に基づいて、本発明の実施形態に係る緊急電話機への電源供給用のバッテリーモジュールについて説明する。
【００２８】
本発明の実施形態に係る緊急電話機への電源供給用のバッテリーモジュールは、負極端子及び正極端子がそれぞれ配備されている第１の円筒電池セル２０１及び第２の円筒電池セル２０２と、前記第１の円筒電池セル２０１と前記第２の円筒電池セル２０２とを直列連結するメタルプレート３００と、前記第１の円筒電池セル２０１及び第２の円筒電池セル２０２が実装される収縮チューブ１００と、前記第１の円筒電池セル２０１及び第２の円筒電池セル２０２のそれぞれに配備されるＰＴＣ素子４００と、前記ＰＴＣ素子４００と前記収縮チューブ１００との間に介装置される第１の絶縁部材６００と、前記ＰＴＣ素子４００と第１の円筒電池セル及び前記第２の円筒電池セルとの間にそれぞれ介装される第２の絶縁部材５００と、前記収縮チューブ１００の上面及び下面のそれぞれを密封する絶縁シート８００と、前記収縮チューブ１００の外部に突き出ており、第１の円筒電池セル２０１及び第２の円筒電池セル２０２と外部電子装置とを連結する連結部７００と、を備えてなってもよい。
【００２９】
より具体的に、前記収縮チューブ１００は、上面と下面のそれぞれに第１の円筒電池セル２０１及び第２の円筒電池セル２０２が嵌入可能な開口部が形成されていてもよい。
【００３０】
一方、前記第１の円筒電池セル２０１及び第２の円筒電池セル２０２は、前記収縮チューブ１００に互いに密着または隣接して並ぶように配置されるが、前記第１の円筒電池セル２０１の正極端子及び負極端子と、前記第２の円筒電池セル２０２の正極及び負極端子とが互いに異なる方向を向くように配置されてもよい。
【００３１】
このように配置する理由は、後述するメタルプレート３００を用いて前記第１の円筒電池セル２０１及び第２の円筒電池セル２０２を手軽に直列連結するためである。
【００３２】
一方、前記第１の円筒電池セル２０１及び第２の円筒電池セル２０２のそれぞれに配備されるＰＴＣ素子４００は、図３に示すように、ＰＴＣ素子の一方の端は前記第１の円筒電池セル２０１及び第２の円筒電池セル２０２の正極端子または負極端子に連結され、他方の端は第１の円筒電池セル２０１及び第２の円筒電池セル２０２の側面に連結されるように「┐」字状の折曲げ構造を有してもよい。
【００３３】
このようにして形成される「┐」字状の折曲げ構造に形成されるＰＴＣ素子４００は、第１の円筒電池セル２０１及び第２の円筒電池セル２０２と密着されるので、空間を活用する上でメリットがある。
【００３４】
一方、このように、「┐」字状の折曲げ構造を有するＰＴＣ素子４００を第１の円筒電池セル２０１及び第２の円筒電池セル２０２と絶縁する部材が、第２の絶縁部材５００である。
【００３５】
より具体的に、図５に基づいて、前記第２の絶縁部材５００を説明すれば、前記第２の絶縁部材５００は、前記ＰＴＣ素子４００と同様に、「┐」字状の折曲げ構造を有していてもよく、第２の絶縁部材５００は、第１の円筒電池セル２０１及び第２の円筒電池セル２０２のそれぞれの少なくとも一部の領域に形成されてＰＴＣ素子４００と第１の円筒電池セル２０１及び第２の円筒電池セル２０２とを絶縁してもよい。
【００３６】
一方、前記収縮チューブ１００とＰＴＣ素子４００とを絶縁する前記第１の絶縁部材６００は、前記ＰＴＣ素子４００の上部及び前記第１の円筒電池セル２０１及び第２の円筒電池セル２０２のそれぞれの少なくとも一部の領域に配備されてもよい。このようにして配備される第１の絶縁部材６００は、前記第１の円筒電池セル２０１及び第２の円筒電池セル２０２と密着されるように曲面構造を有していてもよい。
【００３７】
結合される構造を順番に表わすと、第１の円筒電池セル２０１及び第２の円筒電池セル２０２の表面−第２の絶縁部材５００−ＰＴＣ素子４００−第１の絶縁部材６００−収縮チューブ１００である。
【００３８】
一方、前記ＰＴＣ素子４００が「┐」字状に折り曲げられる領域の少なくとも一部には、前記ＰＴＣ素子４００の折曲面に沿って形成される第３の絶縁部材９００がさらに配備されてもよい。
【００３９】
このような構成を有する第３の絶縁部材９００は、第１の絶縁部材６００が絶縁し難い前記ＰＴＣ素子４００の折曲面を絶縁することができる。
【００４０】
一方、前記絶縁シート８００は、前記収縮チューブ１００の上面及び下面のそれぞれに形成されている開口部の形状と同じ形状を有していてもよく、前記絶縁シート８００は、連結部７００が外部に突き出る部分を除く残りの部分において第１の円筒電池セル２０１及び第２の円筒電池セル２０２の上下部を絶縁してもよい。
【００４１】
一方、前記連結部７００は、前記第１の円筒電池セル２０１の上部に配備されたＰＴＣ素子４００の一方の端に連結される第１のワイヤーと、前記第２の円筒電池セル２０２の上部に配備されたＰＴＣ素子４００の一方の端に連結される第２のワイヤーと、前記メタルプレート３００に連結される第３のワイヤーと、を備えてなってもよい。
【００４２】
一方、前記第１乃至第３のワイヤーは、一つのコネクターを介して外部電子装置と連結されてもよい。
【００４３】
一方、前記連結部７００は、前記第１乃至第３のワイヤーの一部を包み込むクッションテープ１０００及び素子の昇温に伴って電子の流れ量が異なるサーミスター素子（不図示）をさらに備えてなってもよい。
【００４４】
前記サーミスター素子は、第１乃至第３のワイヤーのうちのいずれか一本以上のワイヤーの終端に連結されてもよく、絶縁テープにより前記収縮チューブと絶縁されてもよい。
【００４５】
一方、前記メタルプレート３００は、前記第１の円筒電池セル２０１の正極端子または負極端子に連結される第１の接触端３０１と、前記第２の円筒電池セル２０２の負極端子または正極端子に連結される第２の接触端３０２と、前記第３のワイヤーに連結されるワイヤー連結端３０３とを備えてなってもよい。
【００４６】
より具体的に、前記第１の接触端３０１及び第２の接触端３０２は、前記第１の円筒電池セル２０１の負極端子または正極端子と平行な平面の上に形成されてもよく、前記ワイヤー連結端３０３は、前記第１の接触端３０１及び第２の接触端３０２が形成される平面に垂直な方向に形成されてもよい。
【００４７】
一方、前記収縮チューブ１００の外面の一部には、バッテリーモジュールに関する情報が印刷されているラベル１１００が貼付されてもよい。
【００４８】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が採用可能であるということが理解できる筈である。
【符号の説明】
【００４９】
１００  収縮チューブ
２０１  第１の円筒電池セル
２０２  第２の円筒電池セル
３００  メタルプレート
３０１  第１の接触端
３０２  第２の接触端
３０３  ワイヤー連結端
４００  ＰＴＣ素子
５００  第２の絶縁部材
６００  第１の絶縁部材
７００  連結部
８００  絶縁シート
９００  第３の絶縁部材
１０００  クッションテープ
１１００  ラベル
【図１】
2020529113.tif 000003
【図２】
2020529113.tif 000004
【図３】
2020529113.tif 000005
【図４】
2020529113.tif 000006
【図５（ａ）】
2020529113.tif 000007
【図５（ｂ）】
2020529113.tif 000008
【手続補正書】
【提出日】令和2年1月28日(2020.1.28)
【手続補正１】
【補正対象書類名】特許請求の範囲
【補正対象項目名】全文
【補正方法】変更
【補正の内容】
【特許請求の範囲】
【請求項１】
車両の緊急電話機への電源供給用のバッテリーモジュールであって、
負極端子及び正極端子がそれぞれ配備されている第１の円筒電池セル及び第２の円筒電池セルと、
前記第１の円筒電池セルと前記第２の円筒電池セルとを直列連結するメタルプレートと、
前記第１の円筒電池セル及び前記第２の円筒電池セルが実装される収縮チューブと、
前記第１の円筒電池セル及び前記第２の円筒電池セルのそれぞれに配備されるＰＴＣ素子と、
前記ＰＴＣ素子と前記収縮チューブとの間に介装される第１の絶縁部材と、
前記ＰＴＣ素子と、前記第１の円筒電池セル及び前記第２の円筒電池セルとの間にそれぞれ介装される第２の絶縁部材と、
前記収縮チューブの上面及び下面のそれぞれを密封する絶縁シートと、
前記収縮チューブの外部に突き出ており、前記第１の円筒電池セル及び前記第２の円筒電池セルと車両の緊急電話機とを電気的に連結する連結部と、
を備えてなることを特徴とするバッテリーモジュール。
【請求項２】
前記収縮チューブは、上面と下面のそれぞれに前記第１の円筒電池セル及び前記第２の円筒電池セルが嵌入可能な開口部が形成されており、
前記第１の円筒電池セル及び前記第２の円筒電池セルは、
前記収縮チューブに互いに密着または隣接して並ぶように配置されるが、
前記第１の円筒電池セルの正極端子及び負極端子と、前記第２の円筒電池セルの正極及び負極端子とが互いに異なる方向を向くように配置されることを特徴とする請求項１に記載のバッテリーモジュール。
【請求項３】
前記第１の円筒電池セル及び前記第２の円筒電池セルのそれぞれに配備されるＰＴＣ素子は、
一方の端が前記第１の円筒電池セル及び前記第２の円筒電池セルの正極端子または負極端子に連結され、他方の端が前記第１の円筒電池セル及び前記第２の円筒電池セルの側面に連結されるように「┐」字状の折曲げ構造を有することを特徴とする請求項１又は２に記載のバッテリーモジュール。
【請求項４】
前記第２の絶縁部材は、
前記ＰＴＣ素子の「┐」字状の折曲げ構造と同じ折曲げ構造を有し、前記第１の円筒電池セル及び前記第２の円筒電池セルの少なくとも一部に形成されて前記ＰＴＣ素子と前記第１の円筒電池セル及び前記第２の円筒電池セルとを絶縁することを特徴とする請求項３に記載のバッテリーモジュール。
【請求項５】
前記第１の絶縁部材は、
前記ＰＴＣ素子の上部及び前記第１の円筒電池セル及び前記第２の円筒電池セルの少なくとも一部に配備され、
前記第１の円筒電池セル及び前記第２の円筒電池セルと密着される曲面構造を有し、前記収縮チューブと前記ＰＴＣ素子とを絶縁することを特徴とする請求項１から４のいずれか一項に記載のバッテリーモジュール。
【請求項６】
前記絶縁シートは、
前記収縮チューブの上面と下面のそれぞれに形成されている開口部の形状と同じ形状を有し、前記第１の円筒電池セル及び前記第２の円筒電池セルを絶縁することを特徴とする請求項２に記載のバッテリーモジュール。
【請求項７】
前記連結部は、
前記第１の円筒電池セルの上部に配備されるＰＴＣ素子の一方の端に連結される第１のワイヤーと、
前記第２の円筒電池セルの上部に配備されるＰＴＣ素子の一方の端に連結される第２のワイヤーと、
前記メタルプレートに連結される第３のワイヤーと、
を備えてなり、
前記第１のワイヤー、前記第２のワイヤー、及び前記第３のワイヤーが一つのコネクターを介して前記車両の前記緊急電話機と連結されることを特徴とする請求項１から６のいずれか一項に記載のバッテリーモジュール。
【請求項８】
前記連結部は、
前記第１のワイヤー、前記第２のワイヤー、及び前記第３のワイヤーの一部を包み込むクッションテープと、
素子の昇温に伴って電子の流れ量が異なるサーミスター素子と、
をさらに備えてなり、
前記サーミスター素子は、絶縁テープにより前記収縮チューブと絶縁されることを特徴とする請求項７に記載のバッテリーモジュール。
【請求項９】
前記メタルプレートは、
前記第１の円筒電池セルの正極端子または負極端子に連結される第１の接触端と、
前記第２の円筒電池セルの負極端子または正極端子に連結される第２の接触端と、
前記第３のワイヤーに連結されるワイヤー連結端と、
を備えてなり、
前記第１の接触端及び前記第２の接触端は、
前記第１の円筒電池セルの正極端子または負極端子と平行な平面の上に形成されており、
前記ワイヤー連結端は、
前記第１の接触端及び前記第２の接触端が形成された平面に垂直な方向に形成されていることを特徴とする請求項７又は８に記載のバッテリーモジュール。
【請求項１０】
前記ＰＴＣ素子が「┐」字状に折り曲げられる領域の少なくとも一部には、
前記ＰＴＣ素子の折曲面に沿って形成される第３の絶縁部材がさらに配備されることを特徴とする請求項３に記載のバッテリーモジュール。
【国際調査報告】
2020529113.tif 000009
2020529113.tif 000010
2020529113.tif 000011
2020529113.tif 000012